(57)【要約】      （修正有）【課題】安全識別と捲り開け定位が可能な捲り開け蓋を提供する。【解決手段】安全識別と捲り開け定位が可能な捲り開け蓋において、捲り開け蓋はベース１０、ベース１０に連結する蓋体２０を有する。蓋体２０は開けられた後は後方へ捲り開けられた状態で定位される。蓋体２０とベース１０の間はブリッジ点２５により連接され、ブリッジ点２５が断裂しているか否かによって、蓋体２０が開けられたことがあるかどうかが分かる。【選択図】図６
0003213920.tif 000002
【実用新案登録請求の範囲】
【請求項１】
安全識別と捲り開け定位が可能な捲り開け蓋であって、
前記捲り開け蓋は、ベース、蓋体を有し、
前記ベースの内壁には、上係止凸リングを突出状に設置し、前記ベースの前縁の内壁には、下係止凸ひさしを突出状に設置し、前記ベースの前縁は、開口が上向きの前凹口を有し、前記ベースの後縁は、開口が上向きの後凹口を有し、
前記蓋体は、前記ベースの上に位置し、蓋頂部及び前記蓋頂部の底面に成形される環状側壁を有し、
前記環状側壁と前記ベースの相対する端縁は、数個の円周ブリッジ点により連接し、
前記環状側壁の前縁には、延伸部を有し、前記前凹口中に対応して進入し、前記延伸部と前記前凹口の相対端縁は、数個の前ブリッジ点により相互に連接し、
前記環状側壁の前縁には、外へと延伸する指施力部を形成し、
前記環状側壁の後縁には、後開口を設置し、前記後開口は、前記後凹口に対応し、前記後凹口左右部分の底縁から上方へと前記蓋頂部の対応位置には、撓性連接片をそれぞれ設置し、
前記後凹口の中央は、前記２個の撓性連接片の間において、上方へと位置限定片を延伸し、前記位置限定片は、後方へと開口中へ進入し、前記蓋頂部に接近し、
前記蓋頂部の後縁は、位置限定片に対応し、後方へ推止片を延伸し、前記位置限定片の内側面は、内側へと復位フランジを突出することを特徴とする、
安全識別と捲り開け定位が可能な捲り開け蓋。
【請求項２】
前記上係止凸リング以下の前記ベースの内壁には、補強凸リブを設置し、前記蓋体の延伸部の内壁面には、内向きに突出した唇部を設置することを特徴とする請求項１に記載の安全識別と捲り開け定位が可能な捲り開け蓋。
【請求項３】
前記捲り開け蓋は、瓶口に結合し、前記瓶口は、環状の瓶口側壁、前記瓶口側壁の頂端に位置し、しかも外へと拡張する口縁、前記瓶口側壁の外側面に突出し、しかも前記口縁の下に位置する第一位置限定リング、第二位置限定リング、及び第三位置限定リングを有し、前記口縁と前記瓶口側壁の境界位置には、係合制止角を形成することを特徴とする請求項１に記載の安全識別と捲り開け定位が可能な捲り開け蓋。
【請求項４】
前記捲り開け蓋は、前記瓶口に結合し、前記ベースの底縁は、前記第二位置限定リングにより係止され、前記口縁及び前記第一位置限定リングの外側壁は、前記蓋体の環状側壁の内側面に接触し、前記上係止凸リングは、第一位置限定リングの下に位置し、前記下係止凸ひさしは、前記第三位置限定リングの頂面に接触し、前記位置限定片の頂端は、前記口縁に向かい、前記復位フランジは、前記第一位置限定リングに接触することを特徴とする請求項３に記載の安全識別と捲り開け定位が可能な捲り開け蓋。
【請求項５】
前記捲り開け蓋は、前記瓶口に結合し、前記前ブリッジ点及び前記円周ブリッジ点はすべて断裂して開き、前記蓋体は、前記撓性連接片により後方へ捲り開けられ、前記位置限定片の頂端は、前記推止片により前記係合制止角に入れられることを特徴とする請求項３に記載の安全識別と捲り開け定位が可能な捲り開け蓋。
【考案の詳細な説明】
【技術分野】
【０００１】
本考案は安全識別と捲り開け定位が可能な捲り開け蓋に関し、特にブリッジ点が断裂することで安全を識別可能で、しかも開けた後に定位できる安全識別と捲り開け定位が可能な捲り開け蓋に関する。
【背景技術】
【０００２】
典型的な捲り開け蓋は通常、容器口に結合するベースと、可撓性を備える連接部材によりベースと部分連接を呈する蓋体を有する。
蓋体は、連接部材を支点とし、ベースに対して開閉活動する。
典型的な捲り開け蓋の欠点は、蓋体が開けられた後、蓋体を後方へと捲り開け固定できないことである。
また、捲り開け蓋には、安全識別構造がないため、蓋が開けられそうになっても、それを知ることはできない。
【考案の概要】
【考案が解決しようとする課題】
【０００３】
前記先行技術には、蓋体を開けた後、蓋体を後方へと捲り開け固定できず、また安全識別構造がないため、蓋が開けられても、それを知ることができないという欠点がある。
【課題を解決するための手段】
【０００４】
本考案は安全識別と捲り開け定位が可能な捲り開け蓋に関する。
【０００５】
本考案による安全識別と捲り開け定位が可能な捲り開け蓋において、捲り開け蓋は、ベース、該ベースに連結する蓋体を有する。
該蓋体と瓶口は結合する。
該蓋体が開けられた後は、その位置限定片は瓶口の係合制止角中に嵌着する。
該蓋体と該ベースの間は、ブリッジ点により連接される。
【考案の効果】
【０００６】
本考案の効果は以下の通りである。
捲り開けられた蓋体は、後方へと捲り開け定位できる。
ブリッジ点が断裂しているか否かによって、蓋体が開けられたことがあるかどうかが分かり、安全識別の機能を備える。
【図面の簡単な説明】
【０００７】
【図１】本考案の前視立体外観図である。
【図２】本考案の後視立体外観図である。
【図３】本考案の断面図（一）である。
【図４】本考案の断面図（二）である。
【図５】本考案の捲り開け蓋と瓶口結合の断面図である。
【図６】本考案の捲り開け蓋後掀固定の断面図である。
【考案を実施するための形態】
【０００８】
（一実施形態）
図１〜図６に示す通り、捲り開け蓋１は、ベース１０及び蓋体２０を有する。
ベース１０内壁には、上係止凸リング１１を設置し、ベース１０前縁内壁には、下係止凸ひさし１２を設置する。
上係止凸リング１１の上部は、水平嵌着面１１１で、上係止凸リング１１の下部は、斜面１１２である。
上係止凸リング１１以上のベース１０の壁厚１１３は、上係止凸リング１１以下のベース１０の壁厚１１４より大きい。
上係止凸リング１１以下のベース１０の内壁には、補強凸リブ１１５を設置する。
ベース１０の前縁には、前凹口１３を有し、ベース１０の後縁には、後凹口１４を有する。
【０００９】
蓋体２０は、蓋頂部２１、及び蓋頂部２１底面に成形される環状側壁２２を有する。
環状側壁２２とベース１０は、数個の円周ブリッジ点２３により連接する。
環状側壁２２の前縁には、延伸部２４を有し、前凹口１３中に対応して進入する。
延伸部２４と前凹口１３の相対端縁は、数個の前ブリッジ点２５により相互に連接する。
延伸部２４の内壁面には、突出した唇部２４１を設置する。
環状側壁２２の前縁には、指施力部２６を設置する。
環状側壁２２の後縁には、後開口２７を設置し、後開口２７は、後凹口１４に対応する。
後凹口１４左右部分の底縁から蓋頂部２１へ向かう対応位置には、撓性連接片３０をそれぞれ設置する。
撓性連接片３０の上部３０１及び下部３０２の壁厚は、中間部３０３の壁厚より大きい。
撓性連接片３０の上部３０１は、蓋体２０の内部へと傾斜する。
後凹口１４の中央は、上方へと位置限定片３１を延伸し、位置限定片３１は、後方へと開口２７中へ進入し、蓋頂部２１に接近する。
位置限定片３１の壁厚は、下から上へ徐々に薄くなり、位置限定片３１は、蓋体２０の内部へと傾斜し、位置限定片３１の内側面は、内側へと復位フランジ３１１を突出する。
蓋頂部２１の後縁は、位置限定片３１に対応し、後方へ推止片３２を延伸し、蓋頂部２１は、推止片３２の左、右側に、開裂口２１２をそれぞれ形成する。
【００１０】
捲り開け蓋１は、瓶口４０に結合する。
瓶口４０は、環状の瓶口側壁４１を有する。
瓶口側壁４１の頂端は、外へと拡張し口縁４２を成形し、口縁４２と瓶口側壁４１の境界位置には、係合制止角４３を形成する。
瓶口側壁４１の外側面は、口縁４２以下において、第一位置限定リング４４、第二位置限定リング４５、及び第三位置限定リング４６を形成する。
第二位置限定リング４５は、第一位置限定リング４４の下に位置し、第二位置限定リング４５の外径は、第一位置限定リング４４の外径より大きい。
第三位置限定リング４６は、第二位置限定リング４５の上表面に成形され、第三位置限定リング４６の外径は、第二位置限定リング４５の外径より小さい。
第一位置限定リング４４の上部は、受け止め面４４１で、下部は、水平の係止面４４２である。
第一位置限定リング４４は、受け止め面４４１に連接する斜め環状面４４３を有し、第一位置限定リング４４は、斜め環状面４４３と係止面４４２に連接する外環状面４４４を有する。
第一位置限定リング４４の最大外径は、口縁４２の最大外径より大きい。
【００１１】
捲り開け蓋１は、瓶口２に結合し、ベース１０の底縁は、第二位置限定リング４５により係止される。
口縁４２の外側壁は、環状側壁２２の内側面に接触し、第一位置限定リング４４の外環状面４４４は、環状側壁２２の内側面に接触する。
上係止凸リング１１は、第一位置限定リング４４の下に位置し、延伸部２４内壁面の唇部２４１も、第一位置限定リング４４の下に位置する。
下係止凸ひさし１２は、第三位置限定リング４６の頂面に接触する。
位置限定片３１の頂端は、口縁４２に向かい、位置限定片３１の復位フランジ３１１は、第一位置限定リング４４の受け止め面４４１に接触する。
【００１２】
蓋体２０及びベース１０のキャッピングのプロセスで、瓶口２に結合する過程では、ベース１０は、いくらか外へと広げられ及び回復する特性により、スムーズに瓶口４０の口縁４２及び第一位置限定リング４４を通過する。
補強凸リブ１１５により、壁が比較的薄い部分でも、靭性を備えるため、断裂しにくい。
上係止凸リング１１は、斜面１１２に沿ってスライドし、第一位置限定リング４４の斜め環状面４４３を通過し、最終的には第一位置限定リング４４の下に位置する。
下係止凸ひさし１２は、その可撓性により、軽微な変形と回復可能な特性を備え、スムーズに第一位置限定リング４４を通過する。
下係止凸ひさし１２は、第三位置限定リング４６に接触する。
【００１３】
初めて蓋体２０を開ける時には、指で上向きに指施力部２６に力を入れる。
延伸部２４はやや外へと角度を変え、唇部２４１は第一位置限定リング４４を離脱する。
続けて上向きに指施力部２６に力を加え、前ブリッジ点２５を切断する。
さらに、指施力部２６に力を入れ、蓋体２０を上向きに開き、円周ブリッジ点２３を全て切断し、蓋体２０を開く。
次に後方へと蓋体２０を捲り開け、推止片３２は、位置限定片３１の頂端を、係合制止角４３へと押し、復位フランジ３１１は第一位置限定リング４４の受け止め面４４１に接触する。
位置限定片３１は推止片３２に対して反作用力を生じ、蓋体２０を後方へ捲り開けた位置に定位する。
蓋頂部２１の開裂口２１２により、推止片３２は、蓋頂部に対してやや上下に動くことができ、これにより位置限定片３１を係合制止角４３へと押すことができる。
【００１４】
瓶口４０に蓋体２０を戻す場合には、後方へと捲り開けた蓋体２０を上向きに戻すと、推止片３２は蓋体２０が角度を変えるに従い、内向きに位置限定片３１を押して動かし、位置限定片３１を退かせる。
これにより、蓋体２０は瓶口４０上を覆うので、下向きに力を入れれば、蓋体２０は瓶口４０に蓋合される。
【００１５】
前述した本考案の実施形態は本考案を限定するものではなく、よって、本考案により保護される範囲は後述される実用新案登録請求の範囲を基準とする。
【符号の説明】
【００１６】
１      捲り開け蓋
１０    ベース
１１    上係止凸リング
１１１  水平嵌着面
１１２  斜面
１１３  壁厚
１１４  壁厚
１１５  補強凸リブ
１２    下係止凸ひさし
１３    前凹口
１４    後凹口
２０    蓋体
２１    蓋頂部
２１２  開裂口
２２    環状側壁
２３    円周ブリッジ点
２４    延伸部
２４１  唇部
２５    前ブリッジ点
２６    指施力部
２７    後開口
３０    撓性連接片
３０１  上部
３０２  下部
３０３  中間部
３１    位置限定片
３１１  復位フランジ
３２    推止片
４０    瓶口
４１    瓶口側壁
４２    口縁
４３    係合制止角
４４    第一位置限定リング
４４１  受け止め面
４４２  係止面
４４３  斜め環状面
４４４  外環状面
４５    第二位置限定リング
４６    第三位置限定リング
【図１】
0003213920.tif 000003
【図２】
0003213920.tif 000004
【図３】
0003213920.tif 000005
【図４】
0003213920.tif 000006
【図５】
0003213920.tif 000007
【図６】
0003213920.tif 000008